(57)【要約】【課題】１つのコネクタ端子に対して複数のケーブルが接続されたコネクタにおける、複数のケーブルとコネクタハウジングとの間の防水性能を十分に確保する。【解決手段】筒状に形成されたケーブル挿通部１６，１７を有するコネクタハウジング２と、コネクタハウジング２に収容可能又は収容されている少なくとも１つのコネクタ端子と、コネクタ端子に接続された複数のケーブルＣ２のそれぞれが挿通可能又は挿通されている複数のケーブル貫通孔が形成された弾性部材で構成され、各前記ケーブル貫通孔に各ケーブルＣ２が挿通した状態においてケーブル挿通部１６，１７へ圧入可能又は圧入されているシール部材６と、を備えたコネクタ１を構成する。【選択図】図１
2018041579.tif 000002
【特許請求の範囲】
【請求項１】
筒状に形成されたケーブル挿通部を有するコネクタハウジングと、
前記コネクタハウジングに収容可能又は収容されている少なくとも１つのコネクタ端子と、
前記コネクタ端子に接続された複数のケーブルのそれぞれが挿通可能又は挿通されている複数のケーブル貫通孔が形成された弾性部材で構成され、各前記ケーブル貫通孔に各前記ケーブルが挿通した状態において前記ケーブル挿通部へ圧入可能又は圧入されているシール部材と、
を備えていることを特徴とする、コネクタ。
【請求項２】
請求項１に記載のコネクタにおいて、
前記シール部材は、前記ケーブル挿通部に圧入された状態において、該ケーブル挿通部に対して回転不能な形状を有していることを特徴とする、コネクタ。
【請求項３】
請求項２に記載のコネクタにおいて、
前記シール部材の外周面は、前記ケーブル貫通孔が延びる方向から視て楕円形状に形成されていることを特徴とする、コネクタ。
【請求項４】
請求項３に記載のコネクタにおいて、
前記ケーブル挿通部に圧入された状態の前記シール部材における前記複数のケーブル貫通孔の配列方向は、前記コネクタハウジングに収容された状態の前記コネクタ端子に接続された前記複数のケーブルの配列方向に沿う方向であることを特徴とする、コネクタ。
【請求項５】
請求項１から請求項４のいずれか１項に記載のコネクタにおいて、
前記ケーブル挿通部と該ケーブル挿通部に挿通した前記複数のケーブルとの間へ圧入された状態の前記シール部材が前記ケーブル挿通部から抜けるのを防止するシールリテーナ、を更に備えていることを特徴とする、コネクタ。
【請求項６】
請求項５に記載のコネクタにおいて、
前記シールリテーナは、
前記コネクタハウジングに係合する係合部と、
前記シール部材の少なくとも一部を、該シール部材の挿入方向と反対方向側から覆う覆い部と、
を有していることを特徴とする、コネクタ。
【請求項７】
請求項６に記載のコネクタにおいて、
前記覆い部には、前記係合部が前記コネクタハウジングに係合した状態において、前記ケーブルの外周に沿う円弧状に形成された円弧状切り欠き部が設けられていることを特徴とする、コネクタ。
【請求項８】
請求項６又は請求項７に記載のコネクタにおいて、
前記シール部材は、前記ケーブル挿通部内へ圧入された状態において、該ケーブル挿通部への圧入方向に垂直な方向から視て前記ケーブル挿通部から露出していないことを特徴とする、コネクタ。
【発明の詳細な説明】
【技術分野】
【０００１】
本発明は、コネクタに関する。
【背景技術】
【０００２】
従来より、コネクタにおいて、コネクタハウジングとケーブルとの間の防水性能を確保するために、例えば特許文献１及び特許文献２に開示されるように、略円筒状に形成されたゴム栓（シール部材）が用いられている。
【０００３】
一方、１つのコネクタ端子に対して複数のケーブルが接続されたコネクタも、一般的に知られている。このコネクタによれば、当該コネクタに嵌合する相手側コネクタの各極を、複数に分岐することができる。例えば、相手側コネクタが１極のコネクタであり、当該相手側コネクタに嵌合するコネクタのコネクタ端子に２本のケーブルが接続されている場合、１極の相手側コネクタを２方向に分岐することができる。
【先行技術文献】
【特許文献】
【０００４】
【特許文献１】特開平９−４５４２５号公報
【特許文献２】特開平８−２９８１５７号公報
【発明の概要】
【発明が解決しようとする課題】
【０００５】
ところで、上述した特許文献１及び特許文献２に記載されたシール部材（１本のケーブルとコネクタハウジングとの間を防水するシール部材）では、１つのコネクタ端子に対して複数のケーブルが接続されたコネクタにおける、コネクタハウジングとケーブルとの間の防水性能を十分に確保することができない。
【０００６】
本発明は、上記課題を解決するためのものであり、その目的は、１つのコネクタ端子に対して複数のケーブルが接続されたコネクタにおける、複数のケーブルとコネクタハウジングとの間の防水性能を十分に確保することである。
【課題を解決するための手段】
【０００７】
（１）上記課題を解決するために、この発明のある局面に係るコネクタは、筒状に形成されたケーブル挿通部を有するコネクタハウジングと、前記コネクタハウジングに収容可能又は収容されている少なくとも１つのコネクタ端子と、前記コネクタ端子に接続された複数のケーブルのそれぞれが挿通可能又は挿通されている複数のケーブル貫通孔が形成された弾性部材で構成され、各前記ケーブル貫通孔に各前記ケーブルが挿通した状態において前記ケーブル挿通部へ圧入可能又は圧入されているシール部材と、を備えている。
【０００８】
この構成によれば、１つのコネクタ端子に接続された複数のケーブルのそれぞれが、シール部材に形成された複数のケーブル貫通孔のそれぞれに挿通される。そして、その状態において、コネクタ端子がコネクタハウジング内に収容されるとともに、シール部材がコネクタハウジングのケーブル挿通部に圧入される。すなわち、この構成によれば、１つの部材（シール部材）によって、１つのコネクタ端子に接続された複数のケーブルとコネクタハウジングとの間の隙間の防水性能を容易に確保することができる。
【０００９】
従って、この構成によると、１つのコネクタ端子に対して複数のケーブルが接続されたコネクタにおける、複数のケーブルとコネクタハウジングとの間の防水性能を十分に確保できる。
【００１０】
（２）好ましくは、前記シール部材は、前記ケーブル挿通部に圧入された状態において、該ケーブル挿通部に対して回転不能な形状を有している。
【００１１】
この構成では、ケーブル挿通部に圧入されたシール部材が該ケーブル挿通部に対して回転しないため、コネクタ端子に接続された複数のケーブルがコネクタハウジング内でねじれてしまうことを防止できる。
【００１２】
（３）更に好ましくは、前記シール部材の外周面は、前記ケーブル貫通孔が延びる方向から視て楕円形状に形成されている。
【００１３】
この構成のように、ケーブル貫通孔が延びる方向から視たシール部材の外周面の形状を楕円形状とすることで、ケーブル挿通部に対して回転不能なシール部材を容易な形状で形成することができる。また、この構成によれば、例えばシール部材の短手方向をコネクタハウジングの幅方向と一致させることで、コネクタの幅を小さくすることができる。或いは、シール部材の短手方向をコネクタハウジングの厚さ方向と一致させることで、コネクタの厚さを小さくすることができる。
【００１４】
（４）更に好ましくは、前記ケーブル挿通部に圧入された状態の前記シール部材における前記複数のケーブル貫通孔の配列方向は、前記コネクタハウジングに収容された状態の前記コネクタ端子に接続された前記複数のケーブルの配列方向に沿う方向である。
【００１５】
この構成では、シール部材におけるケーブル貫通孔の配列方向とケーブルの配列方向とが揃うため、コネクタハウジング内における複数のケーブルのねじれを容易に防止できる。
【００１６】
（５）好ましくは、前記コネクタは、前記ケーブル挿通部と該ケーブル挿通部に挿通した前記複数のケーブルとの間へ圧入された状態の前記シール部材が前記ケーブル挿通部から抜けるのを防止するシールリテーナ、を更に備えている。
【００１７】
この構成によれば、ケーブル挿通部に圧入されたシール部材が該ケーブル挿通部から抜けてしまうことを、シールリテーナによって防止することができる。
【００１８】
（６）更に好ましくは、前記シールリテーナは、前記コネクタハウジングに係合する係合部と、前記シール部材の少なくとも一部を、該シール部材の挿入方向と反対方向側から覆う覆い部と、を有している。
【００１９】
この構成によれば、シールリテーナを、コネクタハウジングに係合する係合部と、シール部材の少なくとも一部を所定方向側から覆う覆い部とを用いて構成することができる。すなわち、この構成によれば、シール部材がコネクタハウジングのケーブル挿通部から抜けてしまうことを防止可能なシールリテーナを、比較的シンプルな構成で形成することができる。
【００２０】
（７）更に好ましくは、前記覆い部には、前記係合部が前記コネクタハウジングに係合した状態において、前記ケーブルの外周に沿う円弧状に形成された円弧状切り欠き部が設けられている。
【００２１】
この構成によれば、覆い部をケーブルの被覆に食い込ませることなく、覆い部をケーブル側へ近接させることができる。そうすると、シール部材におけるケーブルから離れた部分だけでなく、シール部材におけるケーブル近傍の部分も覆い部で覆うことができる。これにより、ケーブル挿通部からのシール部材の抜けをより確実に防止できる。
【００２２】
（８）好ましくは、前記シール部材は、前記ケーブル挿通部内へ圧入された状態において、該ケーブル挿通部への圧入方向に垂直な方向から視て前記ケーブル挿通部から露出していない。
【００２３】
例えば、シール部材がケーブル挿通部内へ正常に圧入された状態において、シール部材がケーブル挿通部からはみ出るような寸法に設定されている場合、以下のような問題が生じ得る。具体的には、ケーブル挿通部に対するシール部材のはみ出し寸法が大きくなってしまうと、シールリテーナをコネクタハウジング側へ十分に押し込めず、シールリテーナをコネクタハウジングと係合できない虞が生じる。
【００２４】
この点につき、この構成によれば、シール部材がケーブル挿通部からはみ出していないため、シールリテーナをコネクタハウジングに係合させる際、該シールリテーナをコネクタハウジング側へ十分に押し込むことができる。これにより、シールリテーナをコネクタハウジングに対して確実に係合させることができる。
【００２５】
また、他の局面に係るシールリテーナは、コネクタハウジングにおいてケーブルが挿通する筒状に形成された部分であるケーブル挿通部と、該ケーブル挿通部に挿通した前記ケーブルとの間へ圧入された状態のシール部材が前記ケーブル挿通部から抜けるのを防止することを特徴とする。
【００２６】
この構成によれば、ケーブル挿通部に圧入されたシール部材が該ケーブル挿通部から抜けてしまうことを、シールリテーナによって防止することができる。
【発明の効果】
【００２７】
本発明によれば、１つのコネクタ端子に対して複数のケーブルが接続されたコネクタにおける、複数のケーブルとコネクタハウジングとの間の防水性能を十分に確保できる。
【図面の簡単な説明】
【００２８】
【図１】本発明の実施形態に係るコネクタの斜視図である。
【図２】図１に示すコネクタハウジングの斜視図である。
【図３】図２に示すコネクタハウジングを上方から視た図である。
【図４】第１ケーブルアッシー、及び該第１ケーブルアッシーの第１ケーブルに通された状態の第１シール部材の斜視図である。
【図５】図４に示す第１シール部材の斜視図である。
【図６】第２ケーブルアッシー、及び該第２ケーブルアッシーの第２ケーブルに通された状態の第２シール部材の斜視図である。
【図７】図６に示す第２シール部材の斜視図である。
【図８】図８（Ａ）は、第２シール部材の側面図、図８（Ｂ）は、第２シール部材を後方から視た図である。
【図９】図１に示すシールリテーナの斜視図である。
【図１０】図１０（Ａ）は、シールリテーナを上方から視た図、図１０（Ａ）は、シールリテーナを前方から視た図、である。
【図１１】コネクタの組立工程を説明するための図であって、第１シール部材が装着された状態の第１ケーブルアッシーがコネクタハウジングに取り付けられる際の様子を示す斜視図である。
【図１２】コネクタの組立工程を説明するための図であって、コネクタハウジングに第１ケーブルアッシー、第１シール部材、第２ケーブルアッシー、及び第２シール部材が取り付けられた状態を示す図である。
【図１３】コネクタの組立工程を説明するための図であって、第１ケーブルアッシー、第１シール部材、第２ケーブルアッシー、及び第２シール部材が取り付けられた状態のコネクタハウジングにシールリテーナが装着される際の様子を示す図である。
【図１４】本実施形態に係るコネクタが、相手側コネクタが有する各オス型コンタクトと電気的に接続されている状態を示す模式図である。
【図１５】図１５（Ａ）及び図１５（Ｂ）は、それぞれ、変形例に係る第２シール部材を前後方向から視た模式図である。
【発明を実施するための形態】
【００２９】
以下、本発明を実施するための形態について図面を参照しつつ説明する。本発明は、コネクタに広く適用できる。
【００３０】
図１は、本発明の実施形態に係るコネクタ１の斜視図である。なお、各図において、説明の便宜上、右と記載された矢印が指示する方向を右側と称し、左と記載された矢印が指示する方向を左側と称し、上と記載された矢印が指示する方向を上側又は上方と称し、下と記載された矢印が指示する方向を下側又は下方と称し、前と記載された矢印が指示する方向を前側又は前方と称し、後と記載された矢印が指示する方向を後側又は後方と称する。
【００３１】
コネクタ１は、該コネクタ１が嵌合する相手側コネクタ（図示省略）とともに、電気的接続装置（図示省略）を構成する。電気的接続装置では、コネクタ１が相手側コネクタと嵌合することによって両者が電気的に接続する。
【００３２】
そして、本実施形態に係るコネクタ１は、以下で詳しく説明するが、３極のコネクタとして構成された相手側コネクタにおける２つの極を、それぞれ、２方向へ分岐することが可能なコネクタとして構成されている。
【００３３】
［コネクタの構成］
コネクタ１は、図１を参照して、コネクタハウジング２と、図１では図示が省略された第１コネクタ端子３及び第２コネクタ端子４（コネクタ端子）と、第１シール部材５及び第２シール部材６（シール部材）と、シールリテーナ７とを有し、これらが互いに組み立てられることにより形成されている。
【００３４】
［コネクタハウジングの構成］
図２は、図１に示すコネクタハウジング２を後方側から視た斜視図である。また、図３は、図２に示すコネクタハウジング２を上方から視た図である。コネクタハウジング２は、絶縁性を有する樹脂部材によって一体に形成されている。
【００３５】
コネクタハウジング２は、図２及び図３を参照して、ハウジング基部１０と、延出部１１とを有し、これらが一体に形成されている。
【００３６】
ハウジング基部１０は、コネクタハウジング２における前側の部分を構成している。ハウジング基部１０は、前後方向に延びる直方体状に形成された部分である端子収容部１２と、端子収容部１２における前端部分から外側へ鍔状に張り出す張り出し部１３とを有している。端子収容部１２には、第１コネクタ端子３及び第２コネクタ端子４が収容される。また、張り出し部１３の上壁１３ａには、相手側コネクタ係合部１４が形成されている。本実施形態に係るコネクタ１を有する電気的接続装置では、コネクタ１と相手側コネクタとが嵌合した状態において、上述した相手側コネクタ係合部１４に、相手側コネクタに形成されたロック爪（図示省略）が係合する。これにより、コネクタ１と相手側コネクタとが嵌合した状態において、コネクタ１が相手側コネクタから抜けてしまうことを防止できる。
【００３７】
延出部１１は、ハウジング基部１０の後端部から後方へ延びるように形成されている。延出部１１は、それぞれがハウジング基部１０の後端部から後方へ延びる筒状に形成された３つのケーブル挿通部１５，１６，１７を有している。各ケーブル挿通部１５，１６，１７は、左右方向に並んで設けられ、隣接するケーブル挿通部１５，１６，１７との間の部分が一体に形成されている。
【００３８】
３つのケーブル挿通部１５，１６，１７は、第１ケーブル挿通部１５と、第２ケーブル挿通部１６，１７（ケーブル挿通部）とで構成されている。
【００３９】
第１ケーブル挿通部１５は、３つのケーブル挿通部１５，１６，１７のうちの最も左側に形成されたケーブル挿通部である。第１ケーブル挿通部１５は、前後方向に垂直な面で切断した断面の形状が円形状に形成されている。すなわち、第１ケーブル挿通部１５は、円筒状に形成されている。第１ケーブル挿通部１５には、詳しくは後述する第１ケーブルアッシー８が有する１本の第１ケーブルＣ１が挿通する。
【００４０】
第２ケーブル挿通部１６，１７は、３つのケーブル挿通部１５，１６，１７のうちの右側２つのケーブル挿通部である。第２ケーブル挿通部１６，１７は、前後方向に垂直な面で切断した断面の形状が、上下方向に延びる楕円形状に形成されている。すなわち、第２ケーブル挿通部１６，１７は、楕円筒状に形成されている。各第２ケーブル挿通部１６，１７には、詳しくは後述する第２ケーブルアッシー９が有する２本の第２ケーブルＣ２（ケーブル）が挿通する。
【００４１】
また、コネクタハウジング２は、レール部１８と、２つの被係合部１９とを有している。
【００４２】
レール部１８は、コネクタハウジング２の下側に形成されたレール状の部分である。具体的には、レール部１８は、左右方向中央部分を前後方向に延びるように形成されている。レール部１８は、後側から視て逆Ｔ字状に形成されている。
【００４３】
被係合部１９は、コネクタハウジング２の下側における左右両側に形成されている。具体的には、各被係合部１９は、前後方向に延びる延出部１９ａと、該延出部１９ａにおける先端部（後端部）から下方へ突出する突起部１９ｂとを有し、これらが一体に形成されている。
【００４４】
［第１ケーブルアッシーの構成］
図４は、第１ケーブルアッシー８、及び該第１ケーブルアッシー８の第１ケーブルＣ１に通された状態の第１シール部材５の斜視図である。第１ケーブルアッシー８は、第１コネクタ端子３と、１本の第１ケーブルＣ１とを有している。
【００４５】
［第１コネクタ端子の構成］
第１コネクタ端子３は、被覆かしめ部２１と、芯線かしめ部２２と、コンタクト部２３とを有し、これらが一体に形成されている。第１コネクタ端子３は、例えば一例として、金属製の部材がプレス加工等によって折り曲げられることにより形成された部材である。第１コネクタ端子３では、第１ケーブルＣ１の被覆部分が被覆かしめ部２１によってかしめられ、第１ケーブルＣ１の芯線が芯線かしめ部２２によってかしめられている。これにより、第１コネクタ端子３に第１ケーブルＣ１が固定されるとともに、第１ケーブルＣ１の芯線と第１コネクタ端子３とが電気的に接続される。コンタクト部２３は、前後方向に開口部を有する角筒状に形成された角筒部２３ａと、該角筒部２３ａの内部に設けられた板バネ部（図示省略）とを有し、これらが一体に形成されている。
【００４６】
図５は、第１シール部材５の斜視図である。第１シール部材５は、図１を参照して、コネクタハウジング２の第１ケーブル挿通部１５と第１ケーブルＣ１との間に圧入される弾性部材である。
【００４７】
［第１シール部材の構成］
第１シール部材５は、円筒壁部５ａ及び２つの環状膨出部５ｂを有し、これらが一体に形成されている。
【００４８】
円筒壁部５ａは、第１シール部材５における円筒状の部分である。円筒壁部５ａは、その筒軸が前後方向に延びるように形成されている。円筒壁部５ａの外径は、第１ケーブル挿通部１５の内径よりもやや大きい。第１シール部材５の中心部分には、該第１シール部材５を前後方向に貫通する貫通孔５ｃが形成されている。この貫通孔５ｃの内径は、第１ケーブルＣ１の外径よりもやや小さい。これにより、第１ケーブルＣ１が当該貫通孔５ｃに挿通された状態では、両者が隙間なく密着する。
【００４９】
環状膨出部５ｂは、円筒壁部５ａの外周面から径方向外側へ環状に膨出する部分として設けられている。環状膨出部５ｂの外径は、円筒壁部５ａの外径よりもやや大きい。２つの環状膨出部５ｂは、円筒壁部５ａにおける前側の部分において、前後方向に間隔を空けて配置されている。
【００５０】
コネクタ１では、上述のような第１シール部材５が第１ケーブル挿通部１５と第１ケーブルＣ１との間に圧入されることにより、両者の間の隙間が密閉される。これにより、第１ケーブル挿通部１５と第１ケーブルＣ１との間の防水性能が確保される。
【００５１】
［第２ケーブルアッシーの構成］
図６は、第２ケーブルアッシー９、及び該第２ケーブルアッシー９の第２ケーブルＣ２に通された状態の第２シール部材６の斜視図である。第２ケーブルアッシー９は、第２コネクタ端子４と、２本の第２ケーブルＣ２とを有している。
【００５２】
［第２コネクタ端子の構成］
第２コネクタ端子４は、第１コネクタ端子３と同じ部品で構成されている。すなわち、第２コネクタ端子４は、被覆かしめ部２１と、芯線かしめ部２２と、コンタクト部２３とを有し、これらが一体に形成されている。第２コネクタ端子４も、第１コネクタ端子３の場合と同様、金属製の部材がプレス加工等によって折り曲げられることにより形成される。
【００５３】
第２コネクタ端子４には、第１コネクタ端子３の場合と異なり、２本のケーブルがかしめられている。具体的には、第２コネクタ端子４では、被覆かしめ部２１に２本の第２ケーブルＣ２の被覆部分が上下方向に重ねられた状態で、該被覆かしめ部２１がかしめられている。すなわち、第２コネクタ端子４の被覆かしめ部２１では、２本の第２ケーブルＣ２の被覆部分がまとめてかしめられている。これにより、第２ケーブルアッシー９では、２本の第２ケーブルＣ２が上下方向に重なった状態となる。
【００５４】
また、第２コネクタ端子４では、芯線かしめ部２２に２本の第２ケーブルＣ２の芯線部分が上下方向に重ねられた状態で、該芯線かしめ部２２がかしめられている。すなわち、第２コネクタ端子４の芯線かしめ部２２では、２本の第２ケーブルＣ２の芯線部分がまとめてかしめられている。
【００５５】
上述のように、第２コネクタ端子４が２本の第２ケーブルＣ２にかしめられることにより、第２コネクタ端子４に２本の第２ケーブルＣ２が固定されるとともに、２本の第２ケーブルＣ２の各芯線と第２コネクタ端子４とが電気的に接続される。
【００５６】
［第２シール部材の構成］
図７は、第２シール部材６の斜視図である。また、図８（Ａ）は、第２シール部材６の側面図、図８（Ｂ）は、第２シール部材６を後方から視た図である。２つの第２シール部材６は、それぞれ、図１を参照して、コネクタハウジング２の第２ケーブル挿通部１６，１７と第２ケーブルＣ２との間に圧入される弾性部材である。
【００５７】
第２シール部材６は、図７及び図８を参照して、楕円柱部２５及び２つの環状膨出部２６を有し、これらが一体に形成されている。
【００５８】
楕円柱部２５は、前後方向から視た形状が上下方向に延びる楕円形状に形成された部分であって、前後方向に所定の長さを有している。前後方向から視た楕円柱部２５の大きさは、前後方向から視た第２ケーブル挿通部１６，１７の内周面の大きさよりも、やや大きい。
【００５９】
楕円柱部２５には、該楕円柱部２５を前後方向に貫通する２つの貫通孔２５ａが形成されている。これら２つの貫通孔２５ａは、第２ケーブルアッシー９が有する２本の第２ケーブルＣ２（１つの第２コネクタ端子４にかしめられた２つの第２ケーブルＣ２）のそれぞれが貫通するケーブル貫通孔２５ａとして設けられている。２つのケーブル貫通孔２５ａは、上下方向に沿って、すなわち楕円柱部２５を前後方向から視た場合における楕円の長手方向に沿って、間隔を空けて形成されている。
【００６０】
環状膨出部２６は、楕円柱部２５の外周面から径方向外側へ環状に膨出する部分として設けられている。前後方向から視た環状膨出部２６の大きさは、前後方向から視た楕円柱部２５の大きさよりもやや大きい。２つの環状膨出部２６は、楕円柱部２５における前側の部分において、前後方向に間隔を空けて配置されている。
【００６１】
また、楕円柱部２５には、縮径部２７と、テーパー部２８と、２つの環状溝部２９とが形成されている。
【００６２】
縮径部２７は、楕円柱部２５における先端側の部分である。縮径部２７は、前方から視た形状が上下方向に延びる楕円形状に形成されていて、前後方向に僅かな長さを有している。前方から視た縮径部２７の大きさは、前後方向から視た楕円柱部２５の大きさよりもやや小さい。縮径部２７における後側の部分は、前側の環状膨出部２６における前側の部分と、テーパー部２８によってなだらかに繋がっている。
【００６３】
２つの環状溝部２９は、楕円柱部２５における前側の部分に形成された環状の溝部である。２つの環状溝部２９のうちの１つは、２つの環状膨出部２６の間に形成されていて、もう１つの環状溝部２９は、後側の環状膨出部２６の後側に形成されている。
【００６４】
第２シール部材６は、上述のように、前後方向から視た形状が略楕円形状に形成されている。このような形状の第２シール部材６を、同じく前後方向から視た内周面の形状が楕円形状に形成された第２ケーブル挿通部１６，１７に圧入することで、第２シール部材６は、第２ケーブル挿通部１６，１７内で回転しない。すなわち、第２シール部材６は、第２ケーブル挿通部１６，１７に対して回転不能な形状を有している。
【００６５】
また、第２シール部材６は、前後方向の寸法が、第２ケーブル挿通部１６，１７に圧入された状態において、該第２ケーブル挿通部１６，１７からはみ出ない寸法となっている。
【００６６】
［シールリテーナの構成］
図９は、図１に示すシールリテーナ７の斜視図である。シールリテーナ７は、樹脂部材によって一体に形成されている。シールリテーナ７は、コネクタハウジング２の各ケーブル挿通部１５，１６，１７に圧入されたシール部材５，６がケーブル挿通部１５，１６，１７から抜け落ちるのを防止するための部材である。
【００６７】
シールリテーナ７は、図９を参照して、底壁部３１と、右壁部３２と、左壁部３３と、後壁部３４と、被案内部３５と、２つのロック爪３６とを有し、これらが一体に形成されている。
【００６８】
底壁部３１は、前後左右方向に拡がる壁状の部分である。底壁部３１には、該底壁部３１における前端部から後方へ向かって切り欠かれた３つの切り欠き部３７，３８，３９が形成されている。３つの切り欠き部は、底壁部３１の左右方向に並ぶように形成されている。
【００６９】
右壁部３２は、底壁部３１の右端部から上方へ延びるように形成された壁状の部分である。左壁部３３は、底壁部３１の左端部から上方へ延びるように形成された壁状の部分である。右壁部３２及び左壁部３３は、左右方向から視て、前後方向に長い矩形壁状に形成されている。
【００７０】
後壁部３４は、底壁部３１の後端部から上方へ延びるように形成された壁状の部分である。後壁部３４の右端部及び左端部は、それぞれ、右壁部３２及び左壁部３３のそれぞれと一体に設けられている。
【００７１】
後壁部３４には、前後方向から視て円弧状に切り欠かれた３つの円弧状切り欠き部４１，４２，４３が形成されている。各円弧状切り欠き部４１，４２，４３は、後壁部３４の左右方向に並ぶように形成されている。各円弧状切り欠き部４１，４２，４３の曲率半径は、各ケーブルＣ１，Ｃ２の外径よりもやや大きい。
【００７２】
後壁部３４は、図１を参照して、シールリテーナ７がコネクタハウジング２に装着された状態において、コネクタハウジング２の各ケーブル挿通部１５，１６，１７に圧入された各シール部材５，６の下端部分を後側から覆っている。すなわち、後壁部３４は、シール部材５，６の少なくとも一部を該シール部材５，６の挿入方向と反対方向側から覆う覆い部として設けられている。
【００７３】
被案内部３５は、底壁部３１における切り欠き部３８の下側の部分に設けられている。被案内部３５の内部には、前後方向に延びる空洞４４が形成されている。
【００７４】
各ロック爪３６は、底壁部３１における各切り欠き部３７，３９の下側の部分に設けられている。各ロック爪３６は、切り欠き部３７，３９における後側の端部から前方へ向かって延びるように形成されている。各ロック爪３６の先端部には、コネクタハウジング２に形成された突起部１９ｂと係合する爪部３６ａ（係合部）が形成されている。
【００７５】
［コネクタの組立工程］
図１１から図１３は、コネクタ１の組立工程を説明するための図である。具体的には、図１１は、第１シール部材５が装着された状態の第１ケーブルアッシー８がコネクタハウジング２に取り付けられる際の様子を示す斜視図である。また、図１２は、コネクタハウジング２に第１ケーブルアッシー８、第１シール部材５、第２ケーブルアッシー９、及び第２シール部材６が取り付けられた状態を示す図である。また、図１３は、第１ケーブルアッシー８、第１シール部材５、第２ケーブルアッシー９、及び第２シール部材６が取り付けられた状態のコネクタハウジング２にシールリテーナ７が装着される際の様子を示す図である。以下では、図１１から図１３を参照して、コネクタ１の組立工程について説明する。
【００７６】
まず、図１１を参照して、第１ケーブルＣ１の先端部分に固定された第１コネクタ端子３が、コネクタハウジング２内に挿入される。具体的には、第１コネクタ端子３が、第１ケーブル挿通部１５を介して端子収容部１２へ収容される。このとき、第１コネクタ端子３のランス部２４（図４参照）がコネクタハウジング２内で引っ掛かることにより、コネクタハウジング２に対する第１コネクタ端子３の抜けを防止できる。
【００７７】
上述のようにして第１コネクタ端子３をコネクタハウジング２内に収容した後、第１シール部材５がコネクタハウジング２の第１ケーブル挿通部１５内に圧入される。具体的には、第１シール部材５は、第１ケーブルＣ１の外周面に沿ってコネクタハウジング２側へスライド移動させられた後、第１ケーブル挿通部１５内へ押し込まれる。これにより、第１ケーブルＣ１と第１ケーブル挿通部１５との間が密閉される。なお、第１シール部材５が第１ケーブル挿通部１５内へ圧入された状態では、第１シール部材５の後端部は、第１ケーブル挿通部１５の後端部よりも前側に位置している。すなわち、第１シール部材５は、前後方向に対して垂直な方向から視て、第１ケーブル挿通部１５からはみ出していない。
【００７８】
次に、図示は省略するが、各第２ケーブルＣ２の先端部分に固定された各第２コネクタ端子４が、コネクタハウジング２内に挿入される。具体的には、各第２コネクタ端子４が、各第２ケーブル挿通部１６，１７を介して端子収容部１２へ収容される。このとき、第２コネクタ端子４のランス部２４（図６参照）がコネクタハウジング２内で引っ掛かることにより、コネクタハウジング２に対する第２コネクタ端子４の抜けを防止できる。
【００７９】
上述のようにして各第２コネクタ端子４をコネクタハウジング２内に収容した後、各第２シール部材６がコネクタハウジング２の第２ケーブル挿通部１６，１７内に圧入される。具体的には、第２シール部材６は、第２ケーブルＣ２の外周面に沿ってコネクタハウジング２側へスライド移動させられた後、第２ケーブル挿通部１６，１７内へ押し込まれる。これにより、第２ケーブルＣ２と第２ケーブル挿通部１６，１７との間が密閉される。なお、第２シール部材６が第２ケーブル挿通部１６，１７内へ圧入された状態では、図１２に示すように、第２シール部材６の後端部は、第２ケーブル挿通部１６の後端部よりも前側に位置している。すなわち、第２シール部材６は、前後方向に対して垂直な方向から視て、第２ケーブル挿通部１６，１７からはみ出していない。
【００８０】
以上の工程を経ることにより、図１２に示すように、第１ケーブルアッシー８及び第２ケーブルアッシー９が、コネクタハウジング２に対して取り付けられた状態となる。なお、ここでは、第１コネクタ端子３をコネクタハウジング２内へ収容した後、第２コネクタ端子４をコネクタハウジング２内へ収容する例を挙げて説明したが、これに限らず、コネクタハウジング２内へ収容される順序は、逆であってもよい。
【００８１】
次に、図１３を参照して、コネクタハウジング２にシールリテーナ７が装着される。具体的には、図２及び図９も参照して、シールリテーナ７は、該シールリテーナ７の被案内部３５内の空洞４４及び切り欠き部３８が、コネクタハウジング２のレール部１８に沿うように、コネクタハウジング２側へスライド移動させられる。そうすると、シールリテーナ７の各爪部３６ａがコネクタハウジング２の各突起部１９ｂと係合するとともに、シールリテーナ７の後壁部３４が、各シール部材５，６における下端部分を後方から覆う（図１参照）。これにより、シールリテーナ７がコネクタハウジング２に対して固定されるとともに、コネクタハウジング２に対する各シール部材５，６の抜け落ちを防止できる。
【００８２】
図１４は、本実施形態に係るコネクタ１が、相手側コネクタ５０が有する各オス型コンタクト５１，５２，５３と電気的に接続されている状態を示す模式図である。図１４では、相手側コネクタ５０が有する３つのオス型コンタクト５１，５２，５３のみを模式的に示している。また、図１４では、コネクタ１における第１コネクタ端子３及び第２コネクタ端子４と、各コネクタ端子３，４に接続された第１ケーブルＣ１及び第２ケーブルＣ２のみを模式的に示している。
【００８３】
図１４に示すように、相手側コネクタ５０は、３つのオス型コンタクト５１，５２，５３を有する、いわゆる３極のコネクタである。この相手側コネクタ５０に対して、本実施形態に係るコネクタ１を嵌合すると、図１４に示すように、オス型コンタクト５２，５３を、コネクタ１側で２本の第２ケーブルＣ２に分岐することができる。
【００８４】
そして、本実施形態に係るコネクタ１によれば、図１を参照して、上述のように分岐された２本の第２ケーブルＣ２とコネクタハウジング２との間を、１つのシール部材６（第２シール部材６）によって容易に密閉できる。これにより、２方向に分岐された第２ケーブルＣ２とコネクタハウジング２との間の防水を容易に図ることができる。
【００８５】
［効果］
以上のように、本実施形態に係るコネクタ１によれば、１つの第２コネクタ端子４に接続された複数のケーブルＣ２のそれぞれが、第２シール部材６に形成された複数のケーブル貫通孔２５ａのそれぞれに挿通される。そして、その状態において、第２コネクタ端子４がコネクタハウジング２内に収容されるとともに、第２シール部材６がコネクタハウジング２の第２ケーブル挿通部１６，１７に圧入される。すなわち、コネクタ１によれば、１つの部材（第２シール部材６）によって、１つの第２コネクタ端子４に接続された複数のケーブルＣ２とコネクタハウジング２との間の隙間の防水性能を容易に確保することができる。
【００８６】
従って、コネクタ１によると、１つのコネクタ端子４に対して複数のケーブルＣ２が接続されたコネクタ１における、複数のケーブルＣ２とコネクタハウジング２との間の防水性能を十分に確保できる。
【００８７】
また、コネクタ１では、第２ケーブル挿通部１６，１７に圧入された第２シール部材６が該ケーブル挿通部１６，１７に対して回転しないため、第２コネクタ端子４に接続された複数のケーブルＣ２がコネクタハウジング２内でねじれてしまうことを防止できる。
【００８８】
また、コネクタ１のように、ケーブル貫通孔２５ａ，２５ａが延びる方向から視た第２シール部材６の外周面の形状を楕円形状とすることで、第２ケーブル挿通部１６，１７に対して回転不能なシール部材を容易な形状で形成することができる。また、コネクタ１によれば、前後方向から視て楕円形状に形成された第２シール部材６の短手方向がコネクタハウジング２の幅方向（左右方向）と一致しているため、コネクタ１の幅（左右方向における寸法）を小さくすることができる。
【００８９】
また、コネクタ１では、第２シール部材６におけるケーブル貫通孔２５ａの配列方向と第２ケーブルＣ２の配列方向とが揃うため、コネクタハウジング２内における複数の第２ケーブルＣ２のねじれを容易に防止できる。
【００９０】
また、コネクタ１によると、ケーブル挿通部１５，１６，１７に圧入された各シール部材５，６がケーブル挿通部１５，１６，１７から抜けてしまうことを、シールリテーナ７によって防止することができる。
【００９１】
また、コネクタ１によれば、シールリテーナ７を、コネクタハウジング２の突起部１９ｂに係合する爪部３６ａと、第２シール部材６の少なくとも一部を後側から覆う後壁部３４とを用いて構成することができる。すなわち、コネクタ１によれば、第２シール部材６がコネクタハウジング２の第２ケーブル挿通部１６，１７から抜けてしまうことを防止可能なシールリテーナ７を、比較的シンプルな形状で形成することができる。
【００９２】
また、コネクタ１のように、後壁部３４に、シールリテーナ７がコネクタハウジング２に係合した状態において第２ケーブルＣ２の外周に沿う円弧状に形成された円弧状切り欠き部４１，４２を形成することにより、後壁部３４を第２ケーブルＣ２の被覆に食い込ませることなく、後壁部３４を第２ケーブルＣ２側へ近接させることができる。そうすると、第２シール部材６における第２ケーブルＣ２から離れた部分だけでなく、第２シール部材６における第２ケーブルＣ２近傍の部分も後壁部３４で覆うことができる。これにより、ケーブル挿通部１６，１７からの第２シール部材６の抜けをより確実に防止できる。
【００９３】
ところで、例えば、シール部材が、該シール部材がケーブル挿通部１６，１７内へ正常に圧入された状態においてケーブル挿通部１６，１７からはみ出るような寸法に設定されている場合、以下のような問題が生じ得る。具体的には、ケーブル挿通部１６，１７に対するシール部材のはみ出し寸法が大きくなってしまうと、シールリテーナ７をコネクタハウジング２側へ十分に押し込めず、シールリテーナ７をコネクタハウジング２と係合できない虞が生じる。
【００９４】
この点につき、コネクタ１によれば、第２シール部材６，７が第２ケーブル挿通部１６，１７からはみ出していないため、シールリテーナ７をコネクタハウジング２に係合させる際、該シールリテーナ７をコネクタハウジング２側へ十分に押し込むことができる。これにより、シールリテーナ７をコネクタハウジング２に対して確実に係合させることができる。
【００９５】
以上、本発明の実施形態について説明したが、本発明はこれらに限定されるものではなく、本発明の趣旨を逸脱しない限りにおいて種々の変更が可能である。
【００９６】
［変形例］
（１）図１５（Ａ）及び図１５（Ｂ）は、それぞれ、変形例に係る第２シール部材６ａ，６ｂを前後方向から視た模式図である。上述した実施形態では、第２シール部材６の形状を、前後方向から視て楕円形状となるように形成したが、これに限らず、ケーブル挿通部に圧入された状態においてケーブル挿通部に対して回転不能な形状であれば、第２シール部材はどのような形状であってもよい。具体的には、図１５（Ａ）を参照して、第２シール部材６ａの形状は、前後方向から視て長方形状に形成されていてもよい。この場合、ケーブル挿通部の形状は、図示は省略するが、当該第２シール部材６ａを圧入可能な長方形状の間口部分を有する形状に形成すればよい。或いは、図１５（Ｂ）を参照して、第２シール部材６ｂの形状は、前後方向から視て円形状に形成された円柱部４５と該円柱部から径方向外側へ突出する突出部４６とで構成された形状であってもよい。突出部４６は、前後方向に延びるように形成されている。この場合、ケーブル挿通部の形状は、図示は省略するが、当該第２シール部材６ｂと相補的な形状の間口部分を有する形状に形成すればよい。
【００９７】
（２）上述した実施形態では、第２シール部材６に２つのケーブル貫通孔２５ａが形成されている例を挙げて説明したが、これに限らず、３つ以上のケーブル貫通孔が形成されていてもよい。これにより、１つの第２コネクタ端子４に接続された３つ以上のケーブルＣ２とコネクタハウジング２との間の隙間の防水性能を容易に確保することができる。
【産業上の利用可能性】
【００９８】
本発明は、コネクタに広く適用できるものである。
【符号の説明】
【００９９】
１                  コネクタ
４                  第２コネクタ端子（コネクタ端子）
６，６ａ，６ｂ      第２シール部材（シール部材）
１２                端子収容部
１６，１７          第２ケーブル挿通部（ケーブル挿通部）
２５ａ              ケーブル貫通孔
Ｃ２                第２ケーブル（ケーブル）
【図１】
2018041579.tif 000003
【図２】
2018041579.tif 000004
【図３】
2018041579.tif 000005
【図４】
2018041579.tif 000006
【図５】
2018041579.tif 000007
【図６】
2018041579.tif 000008
【図７】
2018041579.tif 000009
【図８】
2018041579.tif 000010
【図９】
2018041579.tif 000011
【図１０】
2018041579.tif 000012
【図１１】
2018041579.tif 000013
【図１２】
2018041579.tif 000014
【図１３】
2018041579.tif 000015
【図１４】
2018041579.tif 000016
【図１５】
2018041579.tif 000017